(57)【要約】【課題】、空気調和機の集中制御機器と管理サーバとの間の通信コストを低減する。【解決手段】空気調和機の監視システムは、空気調和機と接続された集中制御機器３と、モバイル端末５と無線通信するための通信手段（無線アダプタ）４とを備える。前記モバイル端末が前記通信手段の通信圏内に入ると、前記通信手段を介してモバイル端末と自動的に無線通信を開始して、集中制御機器から空気調和機の運転情報を前記モバイル端末に送信する。また、モバイル端末は、前記集中制御機器から空気調和機の運転情報を受信して前記モバイル端末に蓄積した後、前記モバイル端末が、そのモバイル端末の広域無線通信基地局の通信圏内に入ると、空気調和機を管理する管理サーバと自動的に通信を開始して、蓄積した空気調和機の運転情報を管理サーバに送信する。【選択図】図１
2016196978.tif 000002
【特許請求の範囲】
【請求項１】
空気調和機と接続された集中制御機器と、モバイル端末と無線通信するための通信手段とを備え、
前記モバイル端末が前記通信手段の通信圏内に入ると、前記通信手段を介して前記モバイル端末と自動的に無線通信を開始して、前記集中制御機器から空気調和機の運転情報を前記モバイル端末に送信することを特徴とする空気調和機の監視システム。
【請求項２】
請求項１に記載の空気調和機の監視システムにおいて、前記モバイル端末は、前記集中制御機器から空気調和機の運転情報を受信して前記モバイル端末に蓄積した後、前記モバイル端末が、そのモバイル端末の広域無線通信基地局の通信圏内に入ると、前記空気調和機を管理する管理サーバと自動的に通信を開始して、前記蓄積した空気調和機の運転情報を前記管理サーバに送信することを特徴とする空気調和機の監視システム。
【請求項３】
請求項２に記載の空気調和機の監視システムにおいて、前記管理サーバは、前記モバイル端末から受信した空気調和機の運転情報を分析して故障予知データを作成し、この故障予知データを前記モバイル端末に送信することを特徴とする空気調和機の監視システム。
【請求項４】
請求項３に記載の空気調和機の監視システムにおいて、前記モバイル端末は、前記管理サーバから送信された前記故障予知データを受信すると、この故障予知データを前記モバイル端末の表示部に表示可能に構成していることを特徴とする空気調和機の監視システム。
【請求項５】
空気調和機に備えられた無線通信をするための通信手段の通信圏内に入ると、前記通信手段と自動的に無線通信を開始して、前記空気調和機の運転情報を自動的に受信することを特徴とするモバイル端末。
【請求項６】
請求項５に記載のモバイル端末において、前記空気調和機の運転情報を受信して前記モバイル端末に蓄積した後、前記モバイル端末が、そのモバイル端末の広域無線通信基地局の通信圏内に入ると、前記空気調和機を管理する管理サーバと自動的に通信を開始して、前記蓄積した空気調和機の運転情報を前記管理サーバに送信することを特徴とするモバイル端末。
【請求項７】
請求項６に記載のモバイル端末において、前記モバイル端末から前記管理サーバに送信された空気調和機の運転情報を分析して作成された故障予知データを、前記管理サーバから受信し、この受信した故障予知データを表示部に表示可能に構成していることを特徴とするモバイル端末。
【請求項８】
モバイル端末により実行される空気調和機の情報収集アプリケーションであって、前記モバイル端末が空気調和機に備えられた無線通信をするための通信手段の通信圏内に入ると、前記通信手段と自動的に無線通信を開始して、前記空気調和機の運転情報を自動的に受信し、その受信した空気調和機の運転情報を前記モバイル端末内部の記憶部に蓄積するように制御することを特徴とする空気調和機の情報収集アプリケーション。
【請求項９】
請求項８に記載の空気調和機の情報収集アプリケーションにおいて、前記モバイル端末が前記空気調和機の運転情報を受信して前記モバイル端末に蓄積した後、前記モバイル端末が、そのモバイル端末の広域無線通信基地局の通信圏内に入ると、前記空気調和機を管理する管理サーバと自動的に通信を開始して、前記蓄積した空気調和機の運転情報を前記管理サーバに送信するように制御することを特徴とする空気調和機の情報収集アプリケーション。
【請求項１０】
請求項９に記載の空気調和機の情報収集アプリケーションにおいて、前記モバイル端末から前記管理サーバに送信された空気調和機の運転情報を分析して作成された故障予知データを、前記管理サーバから受信し、この受信した故障予知データを表示部に表示するように制御することを特徴とする空気調和機の情報収集アプリケーション。
【発明の詳細な説明】
【技術分野】
【０００１】
本発明は、空気調和機の監視システム、モバイル端末及び空気調和機の情報収集アプリケーションに関する。
【背景技術】
【０００２】
従来の空気調和機の監視システムとしては、特開２０１３−２４５４６号公報（特許文献１）に記載のものがある。この特許文献１のものには、空気調和機と集中コントローラとの間で通信を行い、前記空気調和機の情報を前記集中コントローラに転送するための第一の通信手段と、前記集中コントローラと通信機器との間で通信を行い、前記集中コントローラに転送された前記空気調和機の情報を前記通信機器に転送するための第二の通信手段と、前記通信機器に転送された情報を、前記空気調和機の情報を管理する管理サーバに転送するための第三の通信手段とを備えたものが記載されている。
【先行技術文献】
【特許文献】
【０００３】
【特許文献１】特開２０１３−２４５４６号公報
【発明の概要】
【発明が解決しようとする課題】
【０００４】
上記特許文献１に記載のものなど従来の空気調和機においては、空気調和機の近くに設置された集中制御機器（集中コントローラ）と、遠方に設置された遠隔監視サーバなどの管理サーバとを通信機器を介して接続し、定期的に情報の送信を行うようにしている。また、前記集中制御機器と前記管理サーバとの接続のために、個別に通信キャリアとの契約が必要であった。
【０００５】
しかし、従来の空気調和機の監視システムでは、前記集中制御機器と前記管理サーバとの情報通信用に通信キャリアと契約を行えば、ランニングコストが発生し、メーカー又はユーザの金銭的負担が発生する。
【０００６】
また、その費用を抑えるため、ユーザが他の目的で使用しているインターネット契約を活用する場合においては、通信線の施工などユーザのシステムに改造が必要になり、空気調和機の施工以外の金銭的負担が発生する。更に、無線通信を行う場合、前記集中制御機器の設置場所により無線通信を行えるとは限らないため、ユーザのシステムを改造する必要がありこの面からも金銭的負担が発生する。
【０００７】
本発明目的は、空気調和機の集中制御機器と管理サーバとの間の通信コストを低減することのできる空気調和機の監視システム、モバイル端末及び空気調和機の情報収集アプリケーションを得ることにある。
【課題を解決するための手段】
【０００８】
上記課題を解決するために、本発明の特徴は、空気調和機と接続された集中制御機器と、モバイル端末と無線通信するための通信手段とを備え、前記モバイル端末が前記通信手段の通信圏内に入ると、前記通信手段を介して前記モバイル端末と自動的に無線通信を開始して、前記集中制御機器から空気調和機の運転情報を前記モバイル端末に送信する空気調和機の監視システムにある。
【０００９】
本発明の他の特徴は、空気調和機に備えられた無線通信をするための通信手段の通信圏内に入ると、前記通信手段と自動的に無線通信を開始して、前記空気調和機の運転情報を自動的に受信するモバイル端末にある。
【００１０】
本発明の更に他の特徴は、モバイル端末により実行される空気調和機の情報収集アプリケーションであって、前記モバイル端末が空気調和機に備えられた無線通信をするための通信手段の通信圏内に入ると、前記通信手段と自動的に無線通信を開始して、前記空気調和機の運転情報を自動的に受信し、その受信した空気調和機の運転情報を前記モバイル端末内部の記憶部に蓄積するように制御する空気調和機の情報収集アプリケーションにある。
【発明の効果】
【００１１】
本発明によれば、空気調和機の集中制御機器と管理サーバとの間の通信コストを低減することのできる空気調和機の監視システム、モバイル端末及び空気調和機の情報収集アプリケーションを得ることができる効果がある。
【図面の簡単な説明】
【００１２】
【図１】本発明の実施例１を示す空気調和機の監視システムの全体構成図である。
【図２】本発明の実施例１に係る空気調和機の冷凍サイクル系統図である。
【図３】本発明の実施例１における室外機の機能ブロック図である。
【図４】本発明の実施例１における室内機及びリモコンの機能ブロック図である。
【図５】本発明の実施例１における無線アダプタの機能ブロック図である。
【図６】本発明の実施例１におけるモバイル端末の機能ブロック図である。
【図７】本発明の実施例１における管理サーバの機能ブロック図である。
【図８】本発明の実施例１におけるモバイル端末での処理フローを説明するフローチャートである。
【発明を実施するための形態】
【００１３】
以下、本発明の具体的実施例を、図面を用いて説明する。各図における同一符号を付した部分は同一或いは相当する部分を示している。
【実施例１】
【００１４】
本実施例では、ユーザのスマートフォン等のモバイル端末を利用し、複数の空気調和機の運転情報の管理サーバへのアップロード、前記管理サーバにおける前記運転情報の分析による空気調和機の診断（稼動状態、メンテナンスの必要性、故障モードへの遷移状態の予知など）、この診断結果の前記モバイル端末への送信と、該モバイル端末への表示を行うようにした空気調和機の監視システムについて説明する。
【００１５】
図１は本実施例１を示す空気調和機の監視システムの全体構成図である。図１に示す空気調和機の監視システムは、室外機１（１ａ、１ｂ）、室内機２（２ａ−１〜２ａ−３、２ｂ−１〜２ｂ−３）、集中制御機器３、無線アダプタ（通信手段）４、モバイル端末５、空気調和機の通信用伝送線６、広域無線通信基地局７、インターネット８、管理サーバ９、情報端末１０、プリンタ１１などから構成されている。
【００１６】
前記室外機１と前記室内機２は、図２を用いて後述する通り、冷媒配管により接続され、冷凍サイクルを形成している。図１では、室外機１が２台、室内機２が６台となっている例を示しているが、各々１台以上あれば良い。前記室内機２にはリモコンが接続されるが、図１では省略している。
【００１７】
前記集中制御機器３は、空気調和機の通信用伝送線６を介して前記室外機１及び前記室内機２と接続され、接続された機器の監視及び制御を行う。即ち、単一または複数の空気調和機に対して、運転／停止、運転モードの切り替え、設定温度の変更、風向きや風量の変更、リモコン操作の禁止設定、スケジュール設定等を行うことができるようになっている。また、接続された空気調和機の状態表示やアラーム表示を行うことができる。
【００１８】
前記無線アダプタ４は、空気調和機の前記通信用伝送線６を介して前記室外機１、前記室内機２と接続される。また、前記無線アダプタ４は、無線通信により前記モバイル端末５とデータ交換を行う。無線通信方式としては、例えば、ＷｉＦｉ（登録商標）、Ｂｌｕｅｔｏｏｔｈ（登録商標）、Ｚｉｇｂｅｅ（登録商標）などがある。なお、前記無線アダプタ４と前記モバイル端末５との間に無線アクセスポイント（無線基地局）を設ける構成としても良い。
【００１９】
前記無線アダプタ４は、モバイル端末５の指示に応じて、前記室外機１や前記室内機２の現在の運転情報をモバイル端末５に送信したり、前記室外機１や前記室内機２に対する制御（故障予知が為された時の停止制御など）を行ったりする。
【００２０】
前記モバイル端末５は、前記無線アダプタ４との無線通信を行う他に、更に広域無線通信基地局７を介して、インターネット８との接続が可能である。その無線通信方式としては、例えば、３Ｇ（３ｒｄ  Ｇｅｎｅｒａｔｉｏｎ）、ＬＴＥ（登録商標）、ＷｉＭＡＸ（登録商標）などがある。
【００２１】
前記モバイル端末５は、前記集中制御機器３から空気調和機の運転情報などを受信してその記憶部（メモリ）に蓄積した後、該モバイル端末５に蓄積した前記運転情報などを、前記空気調和機を管理する管理サーバと通信して、前記蓄積した空気調和機の運転情報を前記管理サーバに送信するように構成されている。
【００２２】
前記管理サーバ９は、インターネット８と接続され、前記モバイル端末５と通信してデータ交換を行う。前記管理サーバ９は、前記モバイル端末５から送信された空気調和機の運転情報や接続情報などを保持する。また、前記管理サーバ９は、空気調和機の機種毎のデータベースを保持し、前記モバイル端末５の指示に応じて、該モバイル端末５に送信する。
【００２３】
前記管理サーバ９の具体例としては、空気調和機を監視して、保守やメンテナンスを行うための遠隔監視システムや、顧客管理のための顧客管理サーバ（顧客ごとの空気調和機の運転情報データベースなどを備え、リニューアル等の提案をするためもの）などがある。
【００２４】
前記情報端末１０は、パーソナルコンピュータなどであり、インターネット８と接続され、前記管理サーバ９と通信可能である。この情報端末１０を使用して、前記管理サーバ９に保持された空気調和機の前記運転情報や接続情報、空気調和機の機種毎の前記データベースを参照したり、前記管理サーバ９に保持された空気調和機の機種毎のデータベースの更新などをおこなう。
【００２５】
前記プリンタ１１は、インターネット８と接続され、前記モバイル端末５や前記情報端末１０と通信可能である。モバイル端末５などの指示に応じて、前記モバイル端末５に表示した内容を前記プリンタ１１に出力することが可能である。
【００２６】
図２は本発明の実施例１に係る空気調和機の冷凍サイクル系統図である。  
室外機１と室内機２は、ガス配管３１及び液配管３２を介して接続される。  
前記室外機１は、圧縮機１０１、四方弁１０２、室外熱交換器１０３、室外送風機１０４、室外膨張弁１０５などを備える。
【００２７】
前記圧縮機１０１は、スクロール圧縮機、スクリュー圧縮機等であり、冷媒を圧縮し、高圧ガスを吐出する。前記四方弁１０２は、前記圧縮機１０１から吐出した冷媒ガスを、前記室外熱交換器１０３に導くか、前記室内機２の室内熱交換器２０１に導くかの切り替えを行うものであり、これにより、冷房運転と暖房運転とを切り替える。前記室外送風機１０４は、室外空気を前記室外熱交換器１０３に通風するように配置され、前記室外熱交換器１０３は、前記室外送風機からの室外空気と内部を流れる冷媒とで熱交換を行う。前記室外膨張弁１０５は電子膨張弁等で構成され、冷媒を減圧する。
【００２８】
また、前記室外機１には、外気温度センサ４１、圧縮機１０１の吐出ガス配管に設けられた吐出ガス配管温度センサ４２、室外熱交換器配管温度センサ４３、高圧圧力センサ５１、低圧圧力センサ５２が備えられている。  
前記外気温度センサ４１は、前記室外機１に設けられ、外気の温度を測定する。前記吐出ガス配管温度センサ４２は前記圧縮機１０１の吐出ガス配管の温度を測定する。前記室外熱交換器配管温度センサ４３は、前記室外熱交換器１０３の前記液配管３２側の温度を測定する。前記高圧圧力センサ５１は、前記圧縮機１０１から吐出される吐出ガスの圧力を測定する。前記低圧圧力センサ５２は、前記圧縮機１０１への吸入ガス圧力を測定する。
【００２９】
前記室内機２は、室内熱交換器２０１、室内送風機２０２、室内膨張弁２０３などを備える。前記室内送風機２０２は、室内空気を室内熱交換器２０１に通風するように配置される。前記室内熱交換器２０１は、前記室内送風機２０２からの室内空気と内部を流れる冷媒とで熱交換を行う。前記室内膨張弁２０３は、電子膨張弁等で構成され、冷媒を減圧する。
【００３０】
また、前記室内機２には、吸込温度センサ４４、吹出温度センサ４５、冷媒ガス配管温度センサ４６、冷媒液配管温度センサ４７が備えられている。  
前記吸込温度センサ４４は、前記室内熱交換器２０１の吸込側の室内空気温度を測定する。前記吹出温度センサ４５は、前記室内熱交換器２０１の吹出側の室内空気温度を測定する。前記冷媒ガス配管温度センサ４６は、前記室内熱交換器２０１の前記ガス配管３１側の温度を測定する。前記冷媒液配管温度センサ４７は、前記室内熱交換器２０１の前記液配管３２側の温度を測定する。
【００３１】
更に、前記室内機２には、リモコン１２が接続されている。このリモコン１２には、リモコン温度センサ４８が備えられている。前記リモコン温度センサ４８は、リモコン１２の周囲の室内空気温度を測定するものである。
【００３２】
図３は本発明の実施例１における室外機の機能ブロック図である。  
室外機１が備える室外機制御部１０６は、圧縮機１０１、四方弁１０２、室外送風機１０４、室外膨張弁１０５、室外機通信部２０７、記憶部（メモリ）１０８を制御する。前記の圧縮機１０１、四方弁１０２、室外送風機１０４、室外膨張弁１０５については既に説明した通りである。前記圧縮機１０１の制御において、前記室外機制御部１０６は圧縮機１０１の運転周波数を指示する。前記四方弁１０２の制御において、前記室外機制御部１０６は冷媒の流れる向きを切り替える。
【００３３】
前記室外送風機１０４の制御において、前記室外機制御部１０６は室外送風機１０４の運転を指示し、該送風機の運転状態を取得する。前記室外膨張弁１０５の制御において、前記室外機制御部１０６はその膨張弁開度を制御する。前記室外機通信部１０７は、図１に示す空気調和機の通信用伝送線６を介して、室内機２、集中制御機器３、無線アダプタ４と通信を行う。前記記憶部１０８は、室外機１の制御プログラムや各種設定値を記憶する。
【００３４】
また、前記室外機制御部１０６は、図２に示す外気温度センサ４１、吐出ガス配管温度センサ４２、室外熱交換器配管温度センサ４３、高圧圧力センサ５１、低圧圧力センサ５２の計測値を読み出すことができる。
【００３５】
図４は本発明の実施例１における室内機及びリモコンの機能ブロック図である。  
室内機２が備える室内機制御部２０４は、室内送風機２０２、室内膨張弁２０３、室内機通信部２０５、リモコン通信部２０６、記憶部（メモリ）２０７を制御する。前記の室内送風機２０２、室内膨張弁２０３については既に説明した通りである。前記室内送風機２０２の制御において、前記室内機制御部２０４は、室内送風機２０２の運転を指示し、該送風機の運転状態を取得する。前記室内膨張弁２０３の制御において、前記室内機制御部２０４はその膨張弁開度を制御する。
【００３６】
前記室内機通信部２０５は、図１に示す空気調和機の通信用伝送線６を介して、室外機１、集中制御機器３、無線アダプタ４と通信を行う。前記リモコン通信部２０６は、リモコン１２と通信を行う。前記記憶部２０７は、室内機２の制御プログラム、各種設定値、各種内部状態を記憶する。各種設定値には、設定温度、運転モード、風量設定等が含まれる。各種内部状態には、異常が発生した時に異常の種類を特定するアラームコードが含まれる。  
また、前記室内機制御部２０４は、図２に示す吸込温度センサ４４、吹出温度センサ４５、冷媒ガス配管温度センサ４６、冷媒液配管温度センサ４７の計測値を読み出すことができる。
【００３７】
リモコン１２が備えるリモコン制御部１２０１は、リモコン通信部１２０２、表示部１２０３、操作部１２０４、記憶部（メモリ）１２０５を制御する。  
前記リモコン通信部１２０２は、室内機２と通信を行う。前記表示部１２０３は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等から構成され、室内機またはリモコンに関連した情報を表示する。
【００３８】
前記操作部１２０４は、ボタン、スイッチ、タッチパネル等から構成され、ユーザからの入力を受け付ける。前記記憶部１２０５は、リモコン１２の制御プログラム、各種設定値、各種内部状態を記憶する。各種設定値には、設定温度、運転モード、風量設定等が含まれる。各種内部状態には、異常が発生した時に異常の種類を特定するアラームコードが含まれる。また、リモコン制御部１２０１は、図２に示すリモコン温度センサ４８の計測値を読み出すことができる。
【００３９】
図５は本発明の実施例１における無線アダプタの機能ブロック図である。  
無線アダプタ４が備える無線アダプタ制御部４０１は、空調機通信部４０２、第一無線通信部４０３、記憶部（メモリ）４０４を制御する。
【００４０】
前記空調機通信部４０２は、図１に示す空気調和機の通信用伝送線６を介して、室外機１、室内機２、集中制御機器３と通信を行う。前記第一無線通信部４０３は、モバイル端末５と無線通信を行う。無線通信方式は、例えば、ＷｉＦｉ（登録商標）、Ｂｌｕｅｔｏｏｔｈ（登録商標）、Ｚｉｇｂｅｅ（登録商標）である。前記記憶部４０４は、無線アダプタ４の制御プログラムや各種設定値、室外機１及び室内機２から取得した現在状態情報（現在の運転情報）を記憶する。
【００４１】
無線アダプタ４は空気調和機（室外機１、室内機２、集中制御機器３等）と別体になっていても構わないし、空気調和機に取り付けられても良い。また、空気調和機が無線アダプタ４の機能を有する構成とすることが可能であれば、空気調和機の一機能として構成するように該空気調和機と一体に設けても良い。
【００４２】
図６は本発明の実施例１におけるモバイル端末の機能ブロック図である。  
モバイル端末５が備えるモバイル端末制御部５０１は、第一無線通信部５０２、第二無線通信部５０３、表示部５０４、操作部５０５、記憶部（メモリ）５０６を制御する。
【００４３】
前記第一無線通信部５０２は、前記無線アダプタ４の第一無線通信部４０３を介して前記無線アダプタ４と無線通信を行う。無線通信方式は、例えば、ＷｉＦｉ（登録商標）、Ｂｌｕｅｔｏｏｔｈ（登録商標）、Ｚｉｇｂｅｅ（登録商標）である。前記第二無線通信部５０３は、図１に示す広域無線通信基地局７を介して、インターネット８に接続する。無線通信方式は、例えば、３Ｇ（３ｒｄ  Ｇｅｎｅｒａｔｉｏｎ）、ＬＴＥ（登録商標）、ＷｉＭＡＸ（登録商標）である。
【００４４】
前記表示部５０４は、ＬＣＤやＬＥＤ等から構成され、各種情報を表示する。前記操作部５０５は、ボタン、スイッチ、タッチパネル等から構成され、ユーザからの入力を受け付ける。前記記憶部５０６は、モバイル端末５の制御プログラムや各種設定値、図１に示す無線アダプタ４から取得した室外機１及び室内機２の現在状態情報（現在の運転情報）や管理サーバ９から取得したデータを記憶する。
【００４５】
モバイル端末５の制御プログラムには、前記無線アダプタ４及び前記管理サーバ９と自動的に無線通信して空気調和機の運転情報を取得し、モバイル端末５の前記記憶部５０６に記憶して蓄積し、この蓄積した空気調和機の運転情報を前記管理サーバ９に自動的に無線通信する空気調和機の情報収集アプリケーションが含まれる。この情報収集アプリケーションは、モバイル端末５にプリインストールされていても良いし、インターネットからダウンロードしたり、或いは前記管理サーバ９などからダウンロードしてインストールしも良い。なお、前述した表示部５０４、操作部５０５、記憶部５０６が別装置となる構成にしても良い。
【００４６】
図７は本発明の実施例１における管理サーバの機能ブロック図である。  
管理サーバ９が備える管理サーバ制御部９０１は、ＬＡＮ通信部９０２、表示部９０３、操作部９０４、記憶部（メモリ）９０５を制御する。  
前記ＬＡＮ通信部９０２は、インターネット８に接続する。前記表示部９０３は、ＬＣＤやＬＥＤ等から構成され、各種情報を表示する。前記操作部９０４は、ボタン、スイッチ、タッチパネル、キーボード、マウス等から構成され、ユーザからの入力を受け付ける。
【００４７】
前記記憶部９０５は、管理サーバ９の制御プログラムや空気調和機の各種設定値、モバイル端末５から取得した運転情報などのデータを記憶する。また、この記憶部９０５には、空気調和機の各製品に関するデータベースも記憶され、該データベースには、各空気調和機の仕様情報、マニュアルなどが含まれる。  
なお、前述した表示部９０３、操作部９０４、記憶部９０５が別装置となる構成でも良い。
【００４８】
次に、図８を用いて、前記情報収集アプリケーションがインストールされている前記モバイル端末５における処理フローについて説明する。図８は本実施例１におけるモバイル端末での処理フローを説明するフローチャートである。
【００４９】
まず、モバイル端末５にインストールされている情報収集アプリケーションを起動する（ステップＳ１）。この情報収集アプリケーションが起動されると、ステップＳ２に移り、モバイル端末５は図１に示す無線アダプタ４の通信圏内にあるかどうかを判定する。通信圏内にない場合（ＮＯの場合）には前記ステップＳ２の動作を繰り返す。無線アダプタ４の通信圏内に入ると（ＹＥＳの場合）、ステップＳ３に移り、無線アダプタ４との通信を自動的に開始し、無線アダプタ４の記憶部４０４内に蓄積されている空気調和機の運転情報などを、モバイル端末５の記憶部５０６にダウンロードする。
【００５０】
ステップＳ４では、前記ダウンロードが終了するまでダウンロードを継続し、ダウンロードが完了すると（ＹＥＳの場合）、モバイル端末５は無線アダプタ４との通信も終了し、次のステップＳ５に移る。このステップＳ５では、前記モバイル端末が図１に示す広域無線通信基地局７を介して遠隔地に設置されている管理サーバ９と通信可能かどうかを判定する。管理サーバ９との通信が可能な状態になると、モバイル端末５は管理サーバ９と自動的に通信を開始して、モバイル端末５に蓄積された空気調和機の運転情報などを前記管理サーバに送信する（ステップＳ６）。管理サーバ９への送信が完了すると（ステップＳ７でＹＥＳの場合）、ステップＳ８に移り、前記管理サーバ９からの受信待機状態となる。
【００５１】
前記管理サーバ９では、受信した空気調和機の運転情報などを分析し、故障予知データなどを作成する。この故障予知データなどを作成後、前記管理サーバ９はこの作成した故障予知データなどを前記モバイル端末５に送信する。
【００５２】
管理サーバ９からの受信待機状態にあった前記モバイル端末５は、前記管理サーバ９からの受信があると（ステップＳ９でＹＥＳの場合）、その受信情報（故障予知データなど）をダウンロードし、モバイル端末の記憶部５０６に記憶すると共に、モバイル端末５の表示部５０４に表示する（ステップＳ１０）。
【００５３】
そのモバイル端末５を所有しているサービス員などは、該モバイル端末に表示された故障予知データなどを参照して、必要な対応をとることができる。また、該モバイル端末に表示された或いは記憶された故障予知データなどを、サービス員は、空気調和機の前記集中制御機器３やユーザの情報端末（パーソナルコンピュータなど）１０になどにインターネット８を介して送信することもできる。また、インターネット８を介してプリンタ１１に送信して、モバイル端末に表示された内容を紙に出力するようにしても良い。或いは、前記モバイル端末５が管理サーバ９からの受信情報を、自動的に前記集中制御機器３などに送信するようにしても良い。
【００５４】
以上説明したように、本実施例のモバイル端末５は、空気調和機に備えられた無線通信をするための無線アダプタ（通信手段）４の通信圏内に入ると、前記無線アダプタ４と自動的に無線通信を開始するように構成しているので、前記空気調和機の運転情報などを自動的に受信することができる。従って、モバイル端末５に図８で説明したような処理を行う情報収集アプリケーションをインストールし、該アプリケーションを起動させておくことにより、サービス員などがモバイル端末５をいちいち操作することなく、空気調和機の運転情報などを自動的にダウンロードすることができる。
【００５５】
また、本実施例のモバイル端末では、前記空気調和機の運転情報などを受信して前記モバイル端末の記憶部５０６に蓄積した後、前記モバイル端末が、そのモバイル端末の広域無線通信基地局７の通信圏内に入ると、前記空気調和機を管理する管理サーバ９と自動的に通信を開始して、前記蓄積した空気調和機の運転情報を前記管理サーバ９に自動的に送信するように構成している。通常、前記無線アダプタ４は、前記集中制御機器３の近くに設置されており、前記集中制御機器３は地下室などに設置されることも多い。このため、無線アダプタ４で通信できる範囲では、前記モバイル端末５は広域無線通信基地局７と通信できる環境にないことが多い。しかし、本実施例においては、前記モバイル端末を所有しているサービス員が前記広域無線通信基地局７の通信圏内に入ると、前記空気調和機を管理する管理サーバ９と自動的に通信を開始するように構成しているので、サービス員が能動的な操作をすることなく、モバイル端末に蓄積した空気調和機の運転情報を前記管理サーバ９に自動的に送信することができる。
【００５６】
更に、本実施例のモバイル端末では、前記モバイル端末５から前記管理サーバ９に送信された空気調和機の運転情報などを分析して作成された故障予知データなどを、前記管理サーバ９から受信し、この受信した故障予知データなどを表示部５０４に表示可能に構成しているので、サービス員は最新の運転情報を分析した作成された故障予知データを容易に参照することができ、必要な処置をとることが容易に可能となる。
【００５７】
また、本実施例における空気調和機の情報収集アプリケーションは、モバイル端末により実行されるアプリケーションであって、モバイル端末が上述した各処理を自動的に実行するように制御するものである。
【００５８】
本実施例の空気調和機の監視システムは、空気調和機と接続された集中制御機器３と、モバイル端末５と無線通信するための無線アダプタ（通信手段）４とを備え、前記モバイル端末が前記無線アダプタの通信圏内に入ると、前記無線アダプタを介して前記モバイル端末と自動的に無線通信を開始して、前記集中制御機器から空気調和機の運転情報を前記モバイル端末に送信するように構成しているものである。
【００５９】
上述したように、本実施例によれば、前記集中制御機器と前記管理サーバとの接続のために、個別に通信キャリアとの契約は特に不要であり、また通信線の施工などにおいてユーザのシステムを改造する必要もなくなるので、空気調和機の施工以外の金銭的負担を軽減することができる。更に、無線通信を行う場合、前記集中制御機器の設置場所によっては無線通信を行えるとは限らないが、上述した本実施例によれば、ユーザのシステムを改造することなく、確実且つ容易に無線通信が可能となるので、コスト低減を図ることができる。
【００６０】
従って、本実施例によれば、ユーザのシステムを改造することなく、空気調和機の故障予知、遠隔監視などをモバイル端末で確実に行うことができ、空気調和機の集中制御機器と管理サーバとの間の通信コストを低減することのできる空気調和機の監視システム、モバイル端末及び空気調和機の情報収集アプリケーションを得ることができる。
【００６１】
なお、本発明は上述した実施例に限定されるものではなく、様々な変形例が含まれる。また、上記した実施例は本発明を分かりやすく説明するために詳細に説明したものであり、必ずしも説明した全ての構成を備えるものに限定されるものではない。  
また、各機能を実現するプログラム、各判定値、各設定時間等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００６２】
１…室外機、２…室内機、３…集中制御機器、４…無線アダプタ（通信手段）、
５…モバイル端末、６…空調機通信用伝送線、７…広域無線通信基地局、
８…インターネット、９…管理サーバ、１０…情報端末、１１…プリンタ、
１２…リモコン、
３１…ガス配管、３２…液配管、
４１…外気温度センサ、４２…吐出ガス配管温度センサ、
４３…室外熱交換器配管温度センサ、
４４…吸込温度センサ、４５…吹出温度センサ、
４６冷媒ガス配管温度センサ、４７…冷媒液配管温度センサ、
４８…リモコン温度センサ、
５１…高圧圧力センサ、５２…低圧圧力センサ、
１０１…圧縮機、１０２…四方弁、１０３…室外熱交換器、
１０４…室外送風機、１０５…室外膨張弁、
２０１…室内熱交換器、２０２…室内送風機、２０３…室内膨張弁。
【図１】
2016196978.tif 000003
【図２】
2016196978.tif 000004
【図３】
2016196978.tif 000005
【図４】
2016196978.tif 000006
【図５】
2016196978.tif 000007
【図６】
2016196978.tif 000008
【図７】
2016196978.tif 000009
【図８】
2016196978.tif 000010